(57)【要約】【課題】画像ファイルが複数の記録媒体に振り分けて書き込まれる場合においてジャケットプリントに各々の記録媒体に対応する代表画像をプリントする注文処理端末及び表示制御プログラム並びに注文処理方法の提供。【解決手段】ジャケットプリント作成画面に複数の記録媒体を個別に選択可能にするための記録媒体選択欄を表示し、インデックス画像表示欄に選択された記録媒体に振り分けられた画像ファイルの縮小画像のみを表示し、その中から選択された画像を該記録媒体の代表画像とする制御や、インデックス画像表示欄に全ての画像ファイルの縮小画像を記録媒体毎に区分して表示し、その中から選択された画像を該画像が属する区分に対応する記録媒体の代表画像とする制御を行う表示制御手段１７などを備え、個々の記録媒体に対して代表画像の選択を可能にし、代表画像を参考にして記録媒体を選択可能にする。【選択図】図５
2006172249.tif 000002
【特許請求の範囲】
【請求項１】
少なくとも、ユーザから提供された画像ファイルを複数の記録媒体に振り分けて記録する注文の処理を行う注文処理端末において、
表示手段に、前記画像ファイルの縮小画像が配列表示されるインデックス画像表示欄と、前記インデックス画像表示欄の中から選択された代表画像を表示させる代表画像表示欄とを含むプリント作成画面を表示させる際に、前記プリント作成画面に、前記複数の記録媒体を個別に選択させるための記録媒体選択欄を表示させ、前記インデックス画像表示欄に、選択された記録媒体に振り分けられた画像ファイルの縮小画像のみを表示させる制御を行う表示制御手段を少なくとも備えることを特徴とする注文処理端末。
【請求項２】
少なくとも、ユーザから提供された画像ファイルを複数の記録媒体に振り分けて記録する注文の処理を行う注文処理端末において、
表示手段に、前記画像ファイルの縮小画像が配列表示されるインデックス画像表示欄と、前記インデックス画像表示欄の中から選択された代表画像を表示させる代表画像表示欄とを含むプリント作成画面を表示させる際に、前記インデックス画像表示欄に、前記画像ファイルの縮小画像を前記記録媒体毎に区分して表示させる制御を行う表示制御手段を少なくとも備えることを特徴とする注文処理端末。
【請求項３】
前記表示制御手段では、前記代表画像表示欄に複数の画像表示枠を表示させ、各々の前記画像表示枠に、各々の区分から選択された前記代表画像を表示させる制御を行うことを特徴とする請求項２記載の注文処理端末。
【請求項４】
ユーザから提供された画像ファイルを複数の記録媒体に振り分けて記録する注文の処理に際して、
コンピュータを、
表示手段に、前記画像ファイルの縮小画像が配列表示されるインデックス画像表示欄と、前記インデックス画像表示欄の中から選択された代表画像を表示させる代表画像表示欄とを含むプリント作成画面を表示させる際に、前記プリント作成画面に、前記複数の記録媒体を個別に選択させるための記録媒体選択欄を表示させ、前記インデックス画像表示欄に、選択された記録媒体に振り分けられた画像ファイルの縮小画像のみを表示させる制御を行う表示制御手段、として機能させることを特徴とする表示制御プログラム。
【請求項５】
ユーザから提供された画像ファイルを複数の記録媒体に振り分けて記録する注文の処理に際して、
コンピュータを、
表示手段に、前記画像ファイルの縮小画像が配列表示されるインデックス画像表示欄と、前記インデックス画像表示欄の中から選択された代表画像を表示させる代表画像表示欄とを含むプリント作成画面を表示させる際に、前記インデックス画像表示欄に、前記画像ファイルの縮小画像を前記記録媒体毎に区分して表示させる制御を行う表示制御手段、として機能させることを特徴とする表示制御プログラム。
【請求項６】
前記表示制御手段では、前記代表画像表示欄に複数の画像表示枠を表示させ、各々の前記画像表示枠に、各々の区分から選択された前記代表画像を表示させる制御を行うことを特徴とする請求項５記載の表示制御プログラム。
【請求項７】
少なくとも、ユーザから提供された画像ファイルを複数の記録媒体に振り分けて記録する注文の処理を行う注文処理方法であって、
表示手段に、前記画像ファイルの縮小画像が配列表示されるインデックス画像表示欄と、前記インデックス画像表示欄の中から選択された代表画像を表示させる代表画像表示欄と、前記複数の記録媒体を個別に選択させるための記録媒体選択欄とを含むプリント作成画面を表示するステップと、
前記記録媒体選択欄から前記複数の記録媒体を順次選択するステップと、
前記インデックス画像表示欄に、選択された記録媒体に振り分けられた画像ファイルの縮小画像を表示するステップと、
前記インデックス画像表示欄から特定の縮小画像を選択するステップと、
選択された前記特定の縮小画像に対応する画像ファイルの画像を前記代表画像として設定するステップと、を少なくとも有することを特徴とする注文処理方法。
【請求項８】
少なくとも、ユーザから提供された画像ファイルを複数の記録媒体に振り分けて記録する注文の処理を行う注文処理方法であって、
表示手段に、前記画像ファイルの縮小画像を前記記録媒体毎に区分して表示するインデックス画像表示欄と、前記インデックス画像表示欄の中から選択された代表画像を表示させる代表画像表示欄と、前記複数の記録媒体を個別に選択させるための記録媒体選択欄とを含むプリント作成画面を表示するステップと、
前記インデックス画像表示欄の各々の区分から特定の縮小画像を選択するステップと、
各々の区分から選択された前記特定の縮小画像に対応する画像ファイルの画像を前記代表画像として設定するステップと、を少なくとも有することを特徴とする注文処理方法。
【請求項９】
更に、前記代表画像表示欄に設けた複数の画像表示枠に、各々の区分から選択された複数の前記代表画像を表示することを特徴とする請求項８記載の注文処理方法。
【発明の詳細な説明】
【技術分野】
【０００１】
本発明は、注文処理端末及び表示制御プログラム並びに注文処理方法に関する。
【背景技術】
【０００２】
近年、写真に関連する様々なサービスが提供されるようになってきている。例えば、ユーザがデジタルカメラで写真を撮影し、画像ファイルが記録されたデジタルカメラやデジタルカメラ用メディア、画像ファイルをバックアップしたＣＤ−Ｒなどをミニラボ等の写真店に持ち込むと、写真店では注文処理端末を用いてデジタルカメラやメディア、ＣＤ−Ｒから画像ファイルを読み取り、読み取った画像ファイルを用いて高精細な写真プリントを作成したり、該画像ファイルを他のＣＤ−Ｒなどの記録媒体に記録するなどの処理を行う。また、店舗内に設置されたキオスク（無人の注文処理端末）を用いれば、上記写真プリントの作成や記録媒体への書き込みなどの処理をユーザ自身で行うこともできる（上記無人の注文処理端末に関しては、例えば、下記特許文献１参照）。
【０００３】
更に、読み取った画像データのみを記録媒体に記録するのではなく、これらの画像データを音楽付きスライドショーとして表示するためのアプリケーションや音楽ファイルも併せて記録媒体に記録することもできる。
【０００４】
【特許文献１】特開平１１−８８１７号公報（第３−４頁、第１図）
【発明の開示】
【発明が解決しようとする課題】
【０００５】
上記注文処理端末を用いて注文を行う場合、デジタルカメラやメディア、ＣＤ−Ｒから読み取った画像ファイルの画像が画面上に表示され、その中から写真プリントの作成や記録媒体の作成の対象となる画像ファイルを選択することになるが、記録媒体を作成する場合、記録媒体に記録可能な画像ファイルの量は限られているため、例えば、多数の画像ファイルが選択されると１枚の記録媒体内に全ての画像ファイルを書き込むことができなくなり、また、画像ファイルを音楽付きスライドショーとして再生する場合には、画像ファイルの数量が多すぎると１枚の画像を表示する時間が短くなり、スライドショーの見栄えが悪くなる。そこで、そのような不具合を防止するために、注文処理端末で、選択された画像ファイルの容量又は数量が予め定められた容量又は数量を超過している場合に、選択された画像ファイルを複数の記録媒体に振り分けて記録する制御が行われる。
【０００６】
ここで、画像ファイルを記録媒体に記録する場合に、記録媒体の付加価値を高めるために記録媒体を収納するケースに差し込むジャケットプリントやインデックスプリントを作成することもできる。このジャケットプリントやインデックスプリントには、記録媒体に記録される画像ファイルの縮小画像を配列したインデックス画像と特定の画像を大きく表示した代表画像とがプリントされ、この代表画像はプリント作成画面でインデックス画像の中から選択されるが、従来の注文処理端末では、画像ファイルが複数の記録媒体に振り分けて記録される場合でも、プリント作成画面では代表画像を１つしか選択することができず、全ての記録媒体に対するジャケットプリントやインデックスプリントに同じ代表画像がプリントされてしまう。そのため、ジャケットプリントやインデックスプリントの代表画像と記録媒体に記録されている画像ファイルとが対応しなくなり、その結果、代表画像を参考にして複数の記録媒体の中から所望の記録媒体を選別することができないという問題があった。
【０００７】
本発明は、上記問題点に鑑みてなされたものであって、その主たる目的は、画像ファイルが複数の記録媒体に振り分けて書き込まれる場合において、各々の記録媒体に対するジャケットプリントやインデックスプリントに各々の記録媒体に記録される画像ファイルの中から選択された代表画像をプリントすることができる注文処理端末及び表示制御プログラム並びに注文処理方法を提供することにある。
【課題を解決するための手段】
【０００８】
上記目的を達成するため、本発明の注文処理端末は、少なくとも、ユーザから提供された画像ファイルを複数の記録媒体に振り分けて記録する注文の処理を行う注文処理端末において、表示手段に、前記画像ファイルの縮小画像が配列表示されるインデックス画像表示欄と、前記インデックス画像表示欄の中から選択された代表画像を表示させる代表画像表示欄とを含むプリント作成画面を表示させる際に、前記プリント作成画面に、前記複数の記録媒体を個別に選択させるための記録媒体選択欄を表示させ、前記インデックス画像表示欄に、選択された記録媒体に振り分けられた画像ファイルの縮小画像のみを表示させる制御を行う表示制御手段を少なくとも備えるものである。
【０００９】
また、本発明の注文処理端末は、少なくとも、ユーザから提供された画像ファイルを複数の記録媒体に振り分けて記録する注文の処理を行う注文処理端末において、表示手段に、前記画像ファイルの縮小画像が配列表示されるインデックス画像表示欄と、前記インデックス画像表示欄の中から選択された代表画像を表示させる代表画像表示欄とを含むプリント作成画面を表示させる際に、前記インデックス画像表示欄に、前記画像ファイルの縮小画像を前記記録媒体毎に区分して表示させる制御を行う表示制御手段を少なくとも備えるものである。
【００１０】
本発明においては、前記表示制御手段では、前記代表画像表示欄に複数の画像表示枠を表示させ、各々の前記画像表示枠に、各々の区分から選択された前記代表画像を表示させる制御を行う構成とすることができる。
【００１１】
また、本発明の表示制御プログラムは、ユーザから提供された画像ファイルを複数の記録媒体に振り分けて記録する注文の処理に際して、コンピュータを、表示手段に、前記画像ファイルの縮小画像が配列表示されるインデックス画像表示欄と、前記インデックス画像表示欄の中から選択された代表画像を表示させる代表画像表示欄とを含むプリント作成画面を表示させる際に、前記プリント作成画面に、前記複数の記録媒体を個別に選択させるための記録媒体選択欄を表示させ、前記インデックス画像表示欄に、選択された記録媒体に振り分けられた画像ファイルの縮小画像のみを表示させる制御を行う表示制御手段、として機能させるものである。
【００１２】
また、本発明の表示制御プログラムは、ユーザから提供された画像ファイルを複数の記録媒体に振り分けて記録する注文の処理に際して、コンピュータを、表示手段に、前記画像ファイルの縮小画像が配列表示されるインデックス画像表示欄と、前記インデックス画像表示欄の中から選択された代表画像を表示させる代表画像表示欄とを含むプリント作成画面を表示させる際に、前記インデックス画像表示欄に、前記画像ファイルの縮小画像を前記記録媒体毎に区分して表示させる制御を行う表示制御手段、として機能させるものである。
【００１３】
また、本発明の注文処理方法は、少なくとも、ユーザから提供された画像ファイルを複数の記録媒体に振り分けて記録する注文の処理を行う注文処理方法であって、表示手段に、前記画像ファイルの縮小画像が配列表示されるインデックス画像表示欄と、前記インデックス画像表示欄の中から選択された代表画像を表示させる代表画像表示欄と、前記複数の記録媒体を個別に選択させるための記録媒体選択欄とを含むプリント作成画面を表示するステップと、前記記録媒体選択欄から前記複数の記録媒体を順次選択するステップと、前記インデックス画像表示欄に、選択された記録媒体に振り分けられた画像ファイルの縮小画像を表示するステップと、前記インデックス画像表示欄から特定の縮小画像を選択するステップと、選択された前記特定の縮小画像に対応する画像ファイルの画像を前記代表画像として設定するステップと、を少なくとも有するものである。
【００１４】
また、本発明の注文処理方法は、少なくとも、ユーザから提供された画像ファイルを複数の記録媒体に振り分けて記録する注文の処理を行う注文処理方法であって、表示手段に、前記画像ファイルの縮小画像を前記記録媒体毎に区分して表示するインデックス画像表示欄と、前記インデックス画像表示欄の中から選択された代表画像を表示させる代表画像表示欄と、前記複数の記録媒体を個別に選択させるための記録媒体選択欄とを含むプリント作成画面を表示するステップと、前記インデックス画像表示欄の各々の区分から特定の縮小画像を選択するステップと、各々の区分から選択された前記特定の縮小画像に対応する画像ファイルの画像を前記代表画像として設定するステップと、を少なくとも有するものである。
【００１５】
このように、本発明の構成によれば、ユーザから提供された画像ファイルが複数の記録媒体に振り分けて記録される場合において、プリント作成画面に、複数の記録媒体を個別に選択できるようにする記録媒体選択欄が表示され、また、インデックス画像表示欄に、各々の記録媒体に振り分けられた画像ファイルの縮小画像が記録媒体毎に区分して表示されるため、各々の記録媒体に対して個別に代表画像が設定されたジャケットプリントやインデックスプリントを作成することができる。
【発明の効果】
【００１６】
本発明の注文処理端末及び表示制御プログラム並びに注文処理方法によれば、ユーザから提供された画像ファイルが複数の記録媒体に振り分けて書き込まれる場合において、各々の記録媒体に対して個別に代表画像が設定されたジャケットプリントやインデックスプリントを作成することができる。
【００１７】
その理由は、本発明の注文処理端末では、ジャケットプリントやインデックスプリントの作成を指示するプリント作成画面には、複数の記録媒体を個別に選択できるようにする記録媒体選択欄が表示され、その中から所望の記録媒体を選択すると、インデックス画像表示欄には選択された記録媒体に振り分けられた画像ファイルの縮小画像のみが表示され、その中から選択した画像が該記録媒体の代表画像として設定されるからである。
【００１８】
また、プリント作成画面のインデックス画像表示欄に、各々の記録媒体に振り分けられた画像ファイルの縮小画像が記録媒体毎に区分して表示され、その中から選択した画像が、該画像が属する区分に対応する記録媒体の代表画像として設定されるからである。
【００１９】
そして、各々の記録媒体に対して個別に代表画像を設定することによって、代表画像と各々の記録媒体に記録される画像ファイルとを対応付けることができ、これにより代表画像を参考にして複数の記録媒体の中から所望の記録媒体を選別することができるようになる。
【発明を実施するための最良の形態】
【００２０】
本発明の注文処理端末は、その好ましい一実施の形態において、デジタルカメラやメディアなどから少なくとも画像ファイルを読み取るファイル読み取り手段と、選択された画像ファイルを複数の記録媒体に振り分ける振り分け手段と、ジャケットプリントやインデックスプリントの作成を指示するプリント作成画面を表示手段に表示させる際に、複数の記録媒体を個別に選択可能にするための記録媒体選択欄を表示し、その中から所定の記録媒体を選択すると、インデックス画像表示欄に選択された記録媒体に振り分けられた画像ファイルの縮小画像を表示し、その中から選択された画像を該記録媒体の代表画像として表示する制御や、インデックス画像表示欄に各々の記録媒体に振り分けられた画像ファイルの縮小画像を記録媒体毎に区分して表示し、その中から選択された画像を、該画像が属する区分に対応する記録媒体の代表画像として表示する制御などを行う表示制御手段と、各々の記録媒体に振り分けられた画像ファイルの縮小画像が配列されたインデックス画像と記録媒体毎に選択された代表画像とをプリントするための注文情報などが記録された注文情報ファイルを生成する注文情報ファイル生成手段と、表示手段及び操作手段と、記録媒体作成装置やプリント作成装置などの出力装置に画像ファイルや注文情報ファイルなどを送信するファイル送信手段と、を少なくとも備える。これにより、個別の記録媒体に対して代表画像の選択を可能にし、代表画像と記録媒体に記録される画像ファイルとを対応付けることができ、代表画像を参考にして記録媒体が選択できるようになる。
【実施例】
【００２１】
上記実施の形態について詳細に説明すべく、本発明の一実施例に係る注文処理端末及び表示制御プログラム並びに注文処理方法について、図１乃至図１５を参照して説明する。図１は、本実施例に係る注文処理システムの構成を模式的に示す図であり、図２乃至図４は、注文処理端末のバリエーションを示す図、図５は、注文処理端末の機能を示すブロック図である。また、図６及び図７は、本実施例の注文処理端末を用いた注文処理の手順を示すフローチャート図であり、図８乃至図１５は、注文処理端末の表示手段に表示される画面構成例を示す図である。
【００２２】
図１に示すように、本実施例の注文処理システム１は、ミニラボなどに写真店やコンビニエンスストアなどの注文店などに設置され、記録媒体の作成や写真プリントなどの注文を受け付け、該注文の処理を行う注文処理端末２と、写真店や生産店などに設置される記録媒体作成装置１１ａやプリント作成装置１１ｂなどの出力装置１０とで構成され、これらはＬＡＮやＷＡＮ、ＶＡＮなどの通信ネットワークを介して接続されている。
【００２３】
また、図５に示すように、本実施例の注文処理端末２は、スマートメディア、コンパクトフラッシュ（登録商標）、メモリースティック、ＳＤメモリーカード、マルチメディアカードなどのデジタルカメラ９用又はカメラ付き携帯電話機９ａ用の記録媒体（以下、メディア８と呼ぶ。）を装填するメディア装填部５や、デジタルカメラ９やカメラ付き携帯電話機９ａ等の撮影機器（以下、デジタルカメラ９として説明する。）を有線又は無線、赤外線等によって接続するための機器接続部６などを用いて画像ファイルを読み取るファイル読み取り手段１５と、１枚の記録媒体１３に記録することができる数量として予め規定された数量や容量を参照して、画像選択画面で選択された画像ファイルを複数の記録媒体１３に振り分ける振り分け手段１６と、ジャケットプリントやインデックスプリント（以下、ジャケットプリントとして説明する。）の作成を指示するプリント作成画面を表示手段に表示させる際に、複数の記録媒体を個別に選択させるための記録媒体選択欄を表示し、その中から所定の記録媒体を選択すると、インデックス画像表示欄に、選択された記録媒体に振り分けられた画像ファイルの縮小画像のみを表示し、その中から特定の画像を選択するとその画像を該記録媒体の代表画像として表示する制御や、インデックス画像表示欄に、各々の記録媒体に振り分けられた画像ファイルの縮小画像を記録媒体毎に区分して表示し、その中から特定の画像を選択するとその画像を該画像が属する区分に対応する記録媒体の代表画像として表示する制御などを行う表示制御手段１７と、各々の記録媒体に振り分けられた画像ファイルの縮小画像を配列したインデックス画像と記録媒体毎に選択された代表画像とをプリントするための注文情報などが記録された注文情報ファイルを生成する注文情報ファイル生成手段１８と、ＬＣＤ、ＣＲＴ等の表示手段３と、ボタン、キーボード、マウス等の操作手段４と、記録媒体作成装置１１ａやプリント作成装置１１ｂなどの出力装置１０に画像ファイルや注文情報ファイルを送信するファイル送信手段１９とを備え、必要に応じて、注文番号が記録されたレシートを出力するレシートプリンタ７などが接続されている。なお、上記各手段はハードウェアとして構成されていてもよいし、コンピュータを、少なくとも、表示制御手段１７として機能させる表示制御プログラムとして構成し、該表示制御プログラムを注文処理端末２にインストールして実行する構成としてもよい。
【００２４】
また、本実施例の記録媒体作成装置１１ａには、少なくとも、ＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスク等の記録媒体１３を装填する記録媒体装填部１４を備え、プリント作成装置１１ｂは、所定のプリントサイズ（Ｅ、Ｌ、ＬＤ、２Ｌ、２ＬＤ、ＫＧ、８つ、６つ、４つ、６つＷ、４つＷ、Ａ４、Ａ３など）、所定の種別（銀塩プリント、昇華プリントなど）、所定の形態（個別のプリント、インデックスプリント、ジャケットプリント１２など）の写真プリントの作成を行う機能を備えている。
【００２５】
なお、図１では、注文処理端末２と記録媒体作成装置１１ａとプリント作成装置１１ｂとを別々の装置として記載しているが、例えば、図２に示すように、注文処理端末２と記録媒体作成装置１１ａの機能を兼ね備えたコンピュータ機器としてもよいし、図３に示すように、注文処理端末２と記録媒体作成装置１１ａとプリント作成装置１１ｂとが一体となったキオスク（無人端末）などとしてもよい。また、図１では、注文処理端末２が記録媒体作成装置１１ａやプリント作成装置１１ｂなどの出力装置１０を制御する構成としているが、図４に示すように、注文処理端末２と出力装置１０との間に注文管理端末２ａを設けて注文を処理する構成としてもよい。以下、注文処理端末２や注文管理端末２ａなど（これらを総称して注文処理端末と呼ぶ。）を用いた注文の処理について説明するが、本実施例では注文処理端末として注文処理端末２を用いる場合を主にして説明する。
【００２６】
上記構成の注文処理端末２を用いてユーザが注文を行う手順について、図６のフローチャート図を参照して説明する。
【００２７】
まず、注文処理端末２の表示制御手段１７は、表示手段３に、例えば、図８に示すような作業選択画面２０が表示される。この作業選択画面２０には、画像ファイルから写真プリントを作成するのか、画像ファイルを記録した記録媒体１３を作成するのか、又はその双方を作成するのかなどの作業を選択するボタンが表示され、ステップＳ１０１で、ユーザはその中から所望の作業（ここでは記録媒体１３の作成）を選択する。その後、ステップＳ１０２で、メディア装填部５にメディア８を装填、又は機器接続部６にデジタルカメラ９を接続する。
【００２８】
次に、ステップＳ１０３で、必要に応じて、写真プリントのプリントサイズをユーザに選択させるためのプリントサイズ選択画面や、納期をユーザに選択させるための納期選択画面を表示させ、ユーザは操作手段４を操作して所望のプリントサイズや所望の納期を選択する。
【００２９】
次に、ステップＳ１０４で、ファイル読み取り手段１５は、メディア装填部５に装填されたメディア８や機器接続部６に接続されたデジタルカメラ９から画像ファイルと必要に応じてＤＰＯＦ（Digital Print Order Format）ファイルなどの注文情報ファイルを読み取る。
【００３０】
次に、表示制御手段１７は、表示手段３に、例えば図９に示すような画像選択画面２１を表示させる。この画像選択画面２１には、各々の画像ファイルの画像を日付順やファイル名順などの予め定められた順番（図ではファイル名の昇順）で配列するための複数の枠が設けられており、各々の枠の近傍には、対応する画像ファイルに対する処理を設定するためのボタン（ディスク作成モードの場合は画像を回転させるためのボタンや画像の選択／解除を指示するためのボタン、画像を拡大表示するためのボタンなど）が設けられている。そして、ステップＳ１０５でユーザは画像選択画面２１に表示された画像ファイルの中から処理の対象となる画像ファイル（ここでは、記録媒体１３に記録する画像ファイル）を選択する。
【００３１】
そしてユーザが画像選択画面２１で所望の画像ファイルを選択すると、ステップＳ１０６で、振り分け手段１６は、選択された画像ファイルの数量や容量と、予め定められた数量（規定数量と呼ぶ。）や予め定められた容量（規定容量と呼ぶ。）とを比較し、選択された画像ファイルの数量や容量が規定数量や規定容量を超過している場合は、超過している数量や容量に対応する画像ファイルを順に次の記録媒体１３に振り分ける制御を行い、各々の記録媒体１３に書き込む画像ファイルを特定する。
【００３２】
具体的に説明すると、例えば、規定数量を１００コマとし、選択された画像ファイルの数量が２５０コマであったとすると、振り分け手段１６は、１コマ目から１００コマ目までの画像ファイルを１枚目の記録媒体１３に振り分け、１０１コマ目から２００コマ目までの画像ファイルを２枚目の記録媒体１３に振り分け、２０１コマ目から２５０コマ目までの画像ファイルを３枚目の記録媒体１３に振り分ける。
【００３３】
次に、ステップＳ１０７で、表示制御手段１７は、表示手段３に、記録媒体１３を格納するケースに差し込むジャケットプリント１２を作成するかをユーザに選択させるための画面を表示させ、ジャケットプリント１２の作成が選択された場合は、ステップＳ１０８で、表示制御手段１７は、表示手段３にジャケットプリント１２の作成を指示するプリント作成画面を表示させる。
【００３４】
ここで、従来の注文処理端末では、プリント作成画面のインデックス画像表示欄に、ステップＳ１０５で選択された全ての画像ファイルの縮小画像を表示し、その中から代表画像を選択すると、選択された代表画像を全ての記録媒体１３のジャケットプリントに対してプリントしてしまうため、代表画像と各々の記録媒体１３に振り分けられた画像ファイルとが必ずしも一致しなくなり、代表画像を参考にして記録媒体１３を選別することができないという問題があった。
【００３５】
そこで、本実施例では、各々の記録媒体１３に対して代表画像を選択できるようにするために、表示制御手段１７は、表示手段３に、例えば図１０に示すようなプリント作成画面２２を表示させる。このプリント作成画面２２に、画像ファイルの縮小画像を配列表示するインデックス画像表示欄２２ａと、インデックス画像表示欄２２ａの中から選択された代表画像を表示する代表画像表示欄２２ｂとに加えて、複数の記録媒体１３を個別に選択させるための記録媒体選択欄２２ｃ（図中のディスク１〜ディスク３のボタン）を設け、記録媒体選択欄２２ｃで記録媒体１３を選択すると、インデックス画像表示欄２２ａに選択された記録媒体１３に振り分けられた画像ファイルの縮小画像のみを表示し、これにより各々の記録媒体１３に対して代表画像を選択できるようにしている。
【００３６】
具体的に説明すると、デフォルトで、インデックス画像表示欄２２ａには１番目の記録媒体１３（図のディスク１）に振り分けられた画像ファイルの縮小画像が一覧表示され、ステップＳ１０９で、インデックス画像表示欄２２ａの中から所望の縮小画像を選択すると、選択された縮小画像に対応する画像ファイルの画像が代表画像表示欄２２ｂに表示され、ＯＫボタンを押すと、該画像がその記録媒体１３（ここでは１番目の記録媒体１３）の代表画像として設定される。
【００３７】
そして、１枚目の記録媒体１３のジャケットプリント１２の代表画像を選択したら、ステップＳ１１０で、全ての記録媒体１３に対して代表画像が選択されたかを判断し、代表画像が選択されていない記録媒体１３がある場合は、ステップＳ１１１で、記録媒体選択欄２２ｃで次の記録媒体１３（例えば、図のディスク２）を選択する。すると、ステップＳ１０８で、表示制御手段１７は、インデックス画像表示欄２２ａに２番目の記録媒体１３に振り分けられた画像ファイルの縮小画像を一覧表示し、ステップＳ１０９でインデックス画像表示欄２２ａの中から所望の縮小画像を選択すると、選択された縮小画像に対応する画像ファイルの画像が代表画像表示欄２２ｂに表示され、ＯＫボタンを押すことにより代表画像として設定される。そして、この作業を全ての記録媒体１３に対して行う。
【００３８】
なお、ここでは、デフォルトとしてインデックス画像表示欄２２ａに１番目の記録媒体１３に振り分けられた画像ファイルの縮小画像を表示する構成としたが、デフォルトでインデックス画像表示欄２２ａに何も表示させない（すなわち、記録媒体１３が選択されない）ようにしてもよい。また、ここでは、デフォルトとして代表画像表示欄２２ｂに何も表示させない構成としているが、１番目の記録媒体１３に振り分けられた画像ファイルの中から所定のルールに従って選択された画像ファイル（例えば、画像ファイルを撮影日時の昇順／降順やファイル名の昇順／降順などで配列させたときの１番目の画像ファイルなど）の画像をデフォルトの代表画像として表示する構成としてもよい。
【００３９】
また、上記説明では、１番目の記録媒体１３の代表画像の選択が終了したら、ユーザが記録媒体選択欄２２ｃで他の記録媒体１３を選択する構成としたが、デフォルトで代表画像が予め定められていない構成の場合に、１番目の記録媒体１３の代表画像の選択後、ＯＫボタンを押すと、代表画像が選択されていない記録媒体１３（例えば、２番目の記録媒体１３）が順次、自動的に選択されるようにしてもよい。また、上記説明では、各々の記録媒体１３の代表画像を選択した後にＯＫボタンを押す構成としているが、全ての記録媒体１３に対する代表画像の選択が終了した後にＯＫボタンを押して代表画像を確定する構成としてもよい。
【００４０】
また、上記説明では、各々の記録媒体１３毎にプリント作成画面２２が表示される（すなわち、インデックス画像表示欄２２ａに選択された記録媒体１３に振り分けられた画像ファイルのみが表示される）構成としたが、インデックス画像表示欄２２ａに全ての画像ファイルが表示されるようにしてもよく、その場合には、各々の記録媒体１３に対して代表画像を設定できるようにするために、図１１に示すようにインデックス画像表示欄２２ａのどの画像がどの記録媒体１３に振り分けられた画像であるかを識別できるように区分線２２ｄなどで区分して表示する。そして、１番目の記録媒体１３に対応する区分の画像群の中から代表画像を選択してＯＫボタンを押し、順次、他の記録媒体１３に対して同様の処理を繰り返すことによって各々の記録媒体１３に対して代表画像を選択できるようにすることもできる。
【００４１】
なお、上記区分表示の方法は特に限定されず、図１１のように区分線２２ｄを表示してもよいし、図１２に示すように各々の記録媒体１３に振り分けられた画像群を離して表示してもよいし、各々の記録媒体１３に振り分けられた画像群を色分けして表示してもよいし、図１０と同様に各々の記録媒体１３を選択させるための記録媒体選択欄２２ｃを設け、該記録媒体選択欄２２ｃで選択された記録媒体１３に振り分けられた画像ファイルの画像群のみを識別できるように表示（例えば、その画像群の領域のみに色を付けたり、他の画像群を選択できないように表示するなど）してもよい。また、図１０乃至図１２では、代表画像表示欄２２ｂに１つの代表画像のみを表示しているが、例えば、図１３に示すように、代表画像表示欄２２ｂに記録媒体１３の数に相当する画像枠を設けておき、各々の記録媒体１３に対して選択した代表画像が対応する画像枠に表示されるようにしてもよい。
【００４２】
その後、ステップＳ１１２で、注文情報ファイル生成手段１８により、各々の記録媒体１３に振り分けられた画像ファイルの縮小画像からなるインデックス画像と記録媒体１３毎に選択された代表画像とをプリントするための注文情報などが記録された注文情報ファイルを生成して注文を登録し、必要に応じてレシートプリンタ７により注文番号が記録されたレシートを出力して、注文処理端末２での注文受付処理を終了する。
【００４３】
そして、写真店や注文店のオペレータは、注文処理端末２を操作して、記録媒体作成装置１１ａやプリント作成装置１１ｂなどの出力装置１０を制御して記録媒体１３の作成やジャケットプリント１２の作成を開始する。以下、注文処理端末２（又は、注文管理端末２ａを備える構成では該注文管理端末２ａ）を用いてオペレータが注文を処理する手順について、図７のフローチャート図を参照して説明する。
【００４４】
まず、ステップＳ２０１で、オペレータが操作手段４を操作して注文管理モードに設定すると、表示制御手段１７は、表示手段３に例えば、図１４に示すような注文管理画面２３を表示させる。この注文管理画面２３には、注文処理端末２に登録された注文の内、未処理の注文と処理済みの注文とを分類するタグ２３ａと、各々の注文の内容を受付番号毎に表示する一覧表示欄２３ｂとが設けられており、オペレータは未処理の注文の中から処理しようとする注文（ここでは受付番号０１００３）を選択する。
【００４５】
次に、ステップＳ２０２で、表示制御手段１７は、表示手段３に例えば、図１５に示す作業内容選択画面２４を表示させる。この作業内容選択画面２４には、選択された注文に含まれる作業を示すボタン（図中の”プリント”、”ディスク”、”ジャケット”、”インデックス”の各ボタン）が設けられており、オペレータは該ボタンの中から実行する作業（ここでは記録媒体１３の作成に対応する”ディスク”とジャケットプリント１２の作成に対応する”ジャケット”）を選択する。
【００４６】
そして、オペレータが操作手段４を操作してＯＫボタンを押すと、ステップＳ２０３で、ファイル送信手段１９は、記録媒体１３に書き込むべき画像ファイルを記録媒体作成装置１１ａに送信すると共に、該画像ファイルの縮小画像及び記録媒体１３毎に選択された代表画像をプリントするためのプリントデータをプリント作成装置１１ｂに送信して、ステップＳ２０４で、記録媒体作成装置１１ａは、記録媒体装填部１４に装填された記録媒体１３に対して画像ファイルの書き込みを行い、プリント作成装置１１ｂは、プリントデータに基づいてジャケットプリント１２の作成を行う。
【００４７】
なお、ここでは記録媒体作成装置１１ａに全ての画像ファイルを一括して送信し、また、プリント作成装置１１ｂに全てのプリントデータを一括して送信する構成としたが、記録媒体１３単位で画像ファイルやプリントデータを送信する構成としてもよい。また、画像ファイルの書き込みとジャケットプリント１２の作成の順番は任意であり、画像ファイルの書き込みとジャケットプリント１２の作成とを同時に行ってもよいし、画像ファイルを書き込んだ後にジャケットプリント１２の作成を行ってもよいし、ジャケットプリント１２を作成した後に画像ファイルの書き込みを行ってもよい。
【００４８】
そして、ケースに各々の記録媒体１３を収納すると共に、該記録媒体１３に対応するジャケットプリント１２をケースに差し込み、ステップＳ２０６で、レシートと引き替えに作成した記録媒体１３及びジャケットプリント１２をユーザに提供して一連の注文処理を終了する。
【００４９】
このように、本実施例の注文処理端末２では、ジャケットプリント１２の作成を指示するプリント作成画面２２を表示させる際に、画像ファイルの書き込みを行う記録媒体１３を個別に選択させるための記録媒体選択欄２２ｃを表示し、その中から選択された記録媒体１３に振り分けられた画像ファイルの縮小画像のみをインデックス画像表示欄２２ａに表示し、その中から選択された画像を代表画像として設定する制御や、インデックス画像表示欄２２ａに全ての画像ファイルの縮小画像を記録媒体１３毎に区分して表示し、各々の区分の中から選択された画像を該区分に対応する記録媒体１３の代表画像として設定する制御が行われるため、代表画像と各々の記録媒体１３に記録される画像ファイルとを対応付けることができ、代表画像を参考にして複数の記録媒体１３の中から所望の記録媒体１３を選択できるようにすることができる。
【００５０】
なお、上記実施例では、ジャケットプリント１２を例にして説明したが、インデックス画像と代表画像とが表示されるインデックスプリントなどの任意の写真プリントに対して同様に適用することができる。また、上記実施例では、注文処理端末２で注文の受付と注文の処理とを実行する構成としたが、注文処理端末２で注文の受付のみを行い、注文管理端末２ａで注文の処理を行う場合についても同様に適用することができる。また、上記実施例では、デジタルカメラ９やメディア８に記録された画像ファイルを用いた処理について説明したが、本発明は上記実施例に限定されるものではなく、ネガフィルムから読み取った画像ファイル、通信ネットワークを介して取得した画像ファイルや音楽ファイルなどに対しても同様に適用することができる。
【図面の簡単な説明】
【００５１】
【図１】本発明の一実施例に係る注文処理システムの構成を模式的に示す図である。
【図２】本発明の一実施例に係る注文処理端末のバリエーションを示す図である。
【図３】本発明の一実施例に係る注文処理端末のバリエーションを示す図である。
【図４】本発明の一実施例に係る注文処理端末のバリエーションを示す図である。
【図５】本発明の一実施例に係る注文処理端末の機能を示すブロック図である。
【図６】本発明の一実施例に係る注文処理端末を用いた注文の手順を示すフローチャート図である。
【図７】本発明の一実施例に係る注文処理端末を用いた注文処理の手順を示すフローチャート図である。
【図８】本発明の一実施例に係る注文処理端末の表示手段に表示される画面構成例（作業選択画面）を示す図である。
【図９】本発明の一実施例に係る注文処理端末の表示手段に表示される画面構成例（画像選択画面）を示す図である。
【図１０】本発明の一実施例に係る注文処理端末の表示手段に表示される画面構成例（プリント作成画面）を示す図である。
【図１１】本発明の一実施例に係る注文処理端末の表示手段に表示されるプリント作成画面の他の構成を示す図である。
【図１２】本発明の一実施例に係る注文処理端末の表示手段に表示されるプリント作成画面の他の構成を示す図である。
【図１３】本発明の一実施例に係る注文処理端末の表示手段に表示されるプリント作成画面の他の構成を示す図である。
【図１４】本発明の一実施例に係る注文処理端末の表示手段に表示される画面構成例（注文管理画面）を示す図である。
【図１５】本発明の一実施例に係る注文処理端末の表示手段に表示される画面構成例（作業内容選択画面）を示す図である。
【符号の説明】
【００５２】
１  注文処理システム
２  注文処理端末
２ａ  注文管理端末
３  表示手段
４  操作手段
５  メディア装填部
６  機器接続部
７  レシートプリンタ
８  メディア
９  デジタルカメラ
９ａ  カメラ付き携帯電話機
１０  出力装置
１１ａ  記録媒体作成装置
１１ｂ  プリント作成装置
１２  ジャケットプリント
１３  記録媒体
１４  記録媒体装填部
１５  ファイル読み取り手段
１６  振り分け手段
１７  表示制御手段
１８  注文情報ファイル生成手段
１９  ファイル送信手段
２０  作業選択画面
２１  画像選択画面
２２  プリント作成画面
２２ａ  インデックス画像表示欄
２２ｂ  代表画像表示欄
２２ｃ  記録媒体選択欄
２２ｄ  区分線
２３  注文管理画面
２３ａ  タグ
２３ｂ  一覧表示欄
２４  作業内容選択画面
【図１】
2006172249.tif 000003
【図２】
2006172249.tif 000004
【図３】
2006172249.tif 000005
【図４】
2006172249.tif 000006
【図５】
2006172249.tif 000007
【図６】
2006172249.tif 000008
【図７】
2006172249.tif 000009
【図８】
2006172249.tif 000010
【図９】
2006172249.tif 000011
【図１０】
2006172249.tif 000012
【図１１】
2006172249.tif 000013
【図１２】
2006172249.tif 000014
【図１３】
2006172249.tif 000015
【図１４】
2006172249.tif 000016
【図１５】
2006172249.tif 000017